(57)【要約】【課題】納骨室への雨水の浸入を防止した墓の構造並びに当該墓に用いる箱石及び花台に関し、納骨室への雨水の浸入をより確実に防止した墓を提供する。【解決手段】土台石６の上に載置される箱石１には、その底面から空所１１を穿って納骨室１６が形成され、前面には、納骨室１６に通じる前面開口１５が設けられる。箱石１の前には、花台２が設置され、この花台の背面により箱石の前面開口１５が閉鎖されている。箱石１の前面と花台２の背面とには、上段差面２０、３５が箱石の前面開口１５の上縁より上で両側段差面２１、３６が前面開口の外側に位置する板状の凹部２２とこれに嵌挿される凸部３４とを形成する。花台２を箱石１の前面に密着させて設置したとき、凸部３４が凹部２２内に挿入される。【選択図】図１
0003141025.tif 000002
【実用新案登録請求の範囲】
【請求項１】
土台石(6)上に載置される箱石(1)と、この箱石の前面に開口して納骨室(16)に通じる前面開口(15)と、この箱石の前面に接して設置された花台(2)とを備え、土台石(6)の上面と箱石(1)の下面との間に侵入した雨水の納骨室(16)への流入を阻止した墓において、前記箱石(1)の前面と花台(2)の背面とに、前記箱石の前面開口(15)の上縁より上に位置する上段差面(20)と当該前面開口の側縁より外側に位置する側段差面(21)とを備えた凹部(22)と当該凹部に嵌挿される凸部(34)とが形成されていることを特徴とする、墓。
【請求項２】
前記凸部(34)の上段差面(35)に流水溝(37)が前記箱石(1)の前面又は花台(2)の背面と平行に設けられている、請求項１記載の墓。
【請求項３】
前面に納骨室(16)に通じる前面開口(15)を備えた箱石(1)において、当該箱石の前面に前記前面開口(15)より大きい面積の凸部(34)が形成され、この凸部の上段差面(35)に流水溝(37)が前記箱石の前面と平行に設けられている、墓の箱石。
【請求項４】
前面に納骨室(16)に通じる前面開口(15)を備えた箱石(1)の当該前面に接して配置される花台(2)において、当該花台の背面に前記箱石の前面開口(15)の上縁より上に位置する上段差面(35)と当該前面開口の側縁より外側に位置する側段差面(36)とを備えた凸部(34)が形成されている、墓の花台。
【考案の詳細な説明】
【技術分野】
【０００１】
この考案は、納骨室への雨水の浸入を防止した墓の構造並びに当該墓に用いる箱石（内部に納骨室となる空所を備えた石材を言う。以下及び実用新案登録請求の範囲において同じ。）及び花台に関するものである。
【背景技術】
【０００２】
我が国の墓は、図５に示すように、土台石６、箱石１、上台石７、竿石４などと呼ばれる石材を積み重ねて作られている。現在立てられる墓は、石に凹所を穿つ機械や凹所の内面を研磨する機械の普及により、箱石１を底面から四角く穿って天井を一体に備えた納骨室１６を形成する構造が一般的となっている。箱石１の前面には、納骨室１６に骨を収めるための開口１５が設けられている（特許文献１）。
【０００３】
箱石１は、中央部に上下に貫通する四角い角孔１７を備えた土台石６の上に載置され、この土台石の角孔１７と箱石に穿った空所１１とにより、土の底面と石の内壁及び天井面とを持った納骨室１６が形成される。土台石６上には、箱石１の前面に接して香台、香炉台ないし花台（以下及び実用新案登録請求の範囲において、「花台」と総称する。）２が設置される。花台２の背面は一平面となっており、花台２を箱石１の前面に密着させて設置することにより、納骨用の開口１５が閉鎖される。
【０００４】
花台２は、ろうそく立てや線香立てを備えた香炉台２５の両側に花立て２６を一体に設けた構造が一般的である。花台２には、前面に開口する正面視で四角ないし台形断面の奥壁を備えた凹所２７を設けて当該凹所内にろうそく立てや線香立てを備えたものが普及している。この構造は、ろうそくや線香の火を風雨から守る構造として有効である。この凹所２７には、前面に両開き型の扉２８を設けるのが一般的で、扉２８の開閉動作と連動してろうそく立てや線香立てが凹所２７から出没する構造を備えたものも提案されている（特許文献２）。
【０００５】
従来構造では、箱石１の前面と花台２の背面は段差や凹凸のない平面で、花台２を箱石１の前面にその背面を密着させて配置することにより、箱石１の前面開口１５を閉鎖している。納骨室１６に骨を納めるときは、花台２をずらし、前面開口１５を通して納骨室１６に骨を納め、花台２を元に戻す。
【０００６】
一方、納骨室１６に雨水が侵入するのを防止する構造として、土台石の角孔１７の周縁部上面に当該角孔１７を囲む突条（周畝）９を一体に削り出して、箱石の空所１１をこの周畝の外側に嵌合する寸法として、雨水が土台石６と箱石１の境目に侵入しても、周畝８によって当該雨水が納骨室内に流入するのを防止した構造が提供されている。また、角孔１７の周囲の土台石６上面に、角孔１７との間に土台石６の上面と同一高さの周畝を残した状態で周溝を刻設し、この周溝から土台石の底面ないし外周面に連通する通水孔及び通水溝を設けることにより、土台石と箱石の間から納骨室に雨水が侵入するのを防止した構造も提案されている（特許文献３）。
【０００７】
なお、箱石１に穿つ空所１１は、その天井面１２を四角錐ないしドーム形などの中高面とすることにより、納骨室１６の天井面からの結露水の滴下を防止できる。すなわち、納骨室１６の天井面で凝集した結露水は、落下する前に斜面や円弧面に沿って下方に流れ、内壁面に沿って流下するから、納骨室内の骨壷等への結露水の滴下が防止できる。内壁面に沿って土台石上に流下した結露水は、前記周畝により納骨室内への流入が阻止される（特許文献３）。
【特許文献１】特開平９−７８８８６号公報
【特許文献２】特開２００４−２２５２６６号公報
【特許文献３】特開２００６−２１４２６２号公報
【考案の開示】
【考案が解決しようとする課題】
【０００８】
上記構造により、土台石と箱石との間から納骨室に雨水が浸入するのを防止できる。また、納骨室の天井に結露した水が納骨室内の骨壺などに滴下するのを防止できる。墓の前面に設けた納骨室に通じる前面開口は、当該前面に密着させて配置した花台の背面によって閉鎖されている。箱石の底面を穿って天井と壁面が一体の納骨室を形成した墓では、納骨室に雨水が浸入する経路としてこの箱石の前面と花台の背面との間の隙間が考えられる。
【０００９】
箱石の前面と花台の背面との間に流入した雨水は、箱石の前面又は花台の背面を伝って土台石上に流下するので、土台石と箱石との間からの雨水の浸入を防止する上記構造により、納骨室内への進入は防止されると考えられる。しかし、前記前面開口の上方の位置から箱石の前面を伝って流下する雨水は、前面開口の上縁に達したときに土台石上へと滴下する。この滴下の際に生ずる水跳ねで前記前面開口１５の底面が濡れ、また跳ねた水滴が納骨室に跳ね飛ぶことも皆無とは言えない。納骨のために墓を訪れた親族らは、納骨のために花台を動かしたとき、箱石の前面開口の底面や天井面が濡れていると、納骨室内に雨水が浸入しているのではないかと危惧し、対策を石屋に相談することが往々にしてある。
【００１０】
この考案は、上記のような遺族の心情に鑑み、納骨室への雨水の浸入をより確実に防止した墓を提供することを課題としている。
【課題を解決するための手段】
【００１１】
この考案の墓は、土台石６の上に載置される箱石１を備えている。箱石１には、その底面から空所１１を穿って納骨室１６が形成されている。通常、土台石６には、この箱石の空所に繋がる角孔１７が設けられ、この角孔１７と空所１１とで納骨室全体が形成される。箱石１の前面には、納骨室１６に通じる前面開口１５が設けられる。箱石１の前には、土台石６の上に単に載置した状態で、花台２が設置され、この花台の背面により箱石の前面開口１５が閉鎖されている。花台２は、香炉台２５の両側に花立て２６を一体に備えた構造のものが一般的である。
【００１２】
土台石６の上面には、角孔１７を囲むように周畝８が形成されている。この周畝８は、角孔１７の縁との間に周畝８の幅を残してその外側の土台石上面全体を切除することにより形成することができる。この場合、周畝８の上面は土台石６の上面より高くなる。また上記周畝８は、角孔１７の縁との間に周畝８の幅を残してその外側に周溝９を削成することにより形成することができる。この場合には、周畝８の上面が土台石６の上面と同一面となるので、土台石６には周溝９の水を排出する通孔１０ないし通溝１８を設ける。箱石の空所１１の箱石底面における開口寸法は、周畝８の外寸法より大きく、土台石６の上に箱石１を置いたとき、空所１１の底面開口の周縁は、周畝８より外側に位置する。
【００１３】
箱石１の前面と花台２の背面とには、上段差面２０、３５が箱石の前面開口１５の上縁より上で両側段差面２１、３６が前面開口の外側に位置する板状の凹部２２とこれに嵌挿される凸部３４とを形成する。花台２を箱石１の前面に密着させて設置したとき、凸部３４が凹部２２内に挿入される。凹部２２と凸部３４とは、そのいずれか一方を箱石１の前面に設け、他方を花台２の背面に設ける。凸部３４の上段差面３５には、流水溝３７を箱石１の前面又は花台２の背面と平行に設ける。好ましくは、凸部３４の両側段差面３５、３６に、上段差面の流水溝３７に連なる流下溝３８を設ける。
【００１４】
この出願の請求項１の考案に係る墓は、土台石６上に載置される箱石１と、この箱石の前面に開口して納骨室１６に通じる前面開口１５と、この箱石の前面に接して設置された花台２とを備え、土台石６の上面と箱石１の下面との間に侵入した雨水の納骨室１６への流入を阻止した墓において、前記箱石１の前面と花台２の背面とに、前記箱石の前面開口１５の上縁より上に位置する上段差面２０と当該前面開口の側縁より外側に位置する側段差面２１とを備えた凹部２２と当該凹部に嵌挿される凸部３４とが形成されていることを特徴とする墓である。
【００１５】
また、この出願の請求項２の考案に係る墓は、上記構造を備えた墓において、凸部３４の上段差面３５に流水溝３７が前記箱石１の前面又は花台２の背面と平行に設けられていることを特徴とする墓である。
【００１６】
この出願の請求項３の考案に係る墓の箱石は、前面に納骨室１６に通じる前面開口１５を備えた箱石１において、当該箱石の前面に前記前面開口１５より大きい面積の凸部３４が形成され、この凸部の上段差面３５に流水溝３７が前記箱石の前面と平行に設けられていることを特徴とする箱石である。
【００１７】
この出願の請求項４の考案に係る墓の花台は、前面に納骨室１６に通じる前面開口１５を備えた箱石１の当該前面に接して配置される花台２において、当該花台の背面に前記箱石の前面開口１５の上縁より上に位置する上段差面３５と当該前面開口の側縁より外側に位置する側段差面３６とを備えた凸部３４が形成されていることを特徴とする花台である。
【考案の効果】
【００１８】
前面開口１５の上方において箱石１の前面と花台２の背面との隙間に侵入した雨水は、凸部３４によって流下及び滴下が阻止され、前面開口１５より外側に導かれて土台石６上に流下する。流下した雨水及び土台石６と箱石１との間に進入した雨水は、土台の角孔１７を囲んで設けた周畝８で納骨室１６内への流入が阻止され、土台石６の上面又は土台石６に設けた周溝９、通孔１０、通溝１８などを経て排水される。凸部３４の上部の段差面３５に流入した雨水を両側に流すための流水溝３７を設けることにより、また更に凸部３４の両側段差面３５に上記流水溝３７に連なる流下溝３８を設けて置くことにより、納骨室１６への雨水の流入を更に確実に防止できる。
【００１９】
この考案の防水構造と前記特許文献で提唱した防水構造とを設けることにより、箱石の前面に納骨用の前面開口１５を設けた墓における納骨室内への雨水の侵入や納骨室内の結露水の骨壺上への滴下をすべて完全に防止した墓を提供できる。
【考案を実施するための最良の形態】
【００２０】
以下、この考案の好ましい実施形態を示す図面を参照して、この考案を説明する。墓全体の外観は、図５に示した従来構造のものと変わりはない。
【００２１】
箱石１には、内部を底面側から四角く穿って納骨室の上部となる空所１１が形成されている。この空所の天井は、図１に示すように、最も高い中央部から四方へ凹曲面となって流れるドーム形である。このドーム形の天井面１２は、円弧面１３によって周囲の内壁面１４に滑らかに連結されている。箱石１の前面には、納骨室１６に骨壷などを収めるための前面開口１５が設けられている。
【００２２】
箱石１を載置する土台石６には、その中央より若干後方に位置して、納骨室の下部を形成する角孔１７が上下に貫通して設けられている。この角孔１７の面積は、箱石の空所１１の面積より小さい。
【００２３】
角孔１７の周囲には、欠けや割れが生じない厚さの内側壁（周畝）８を残して周溝９が削成されている。周溝９の４個の角部には、中心を周溝９の中心から若干外側にずらして土台石６を上下に貫通する上下方向の円形の通孔１０が設けられている。更に土台石６の下面には、通孔１０の下端から土台石の左右方向外側に向けて通溝１８が削成されている。通溝１８の先端は、土台石６の側面に開口している。
【００２４】
周溝９は、図１に示すように、土台石６の上に箱石１を載せたとき、箱石の空所１１の下端の周縁１４ａがその全周に亘って周溝９の溝幅内に位置するように設けられる。実際には加工及び石の積み重ね時に誤差が生ずるので、空所の下端周縁１４ａが溝幅の中央に位置する寸法を目標に加工すると、誤差のマージンを最も大きくすることができる。土台石６は、墓所の地面に敷いた砂利の上かコンクリートの基礎の上に載せられる。
【００２５】
箱石１の前面には、その前面開口１５の外側、すなわち、前面開口１５の上方に上段差面３５を有し、前面開口１５の両外側に側段差面３６を有する凸部３４が形成されている。図の凸部３４は矩形板状で、その上段差面３５には、箱石の前面と平行な流水溝３７が設けられ、側段差面３６には、この流水溝３７に連なる流下溝３８が形成されている。凸部３４は、正面視で逆Ｕ字形とすることもできる。この場合の流水溝３７は、逆Ｕ字の段差面の上端部分だけに設けておくこともできる。
【００２６】
花台２は、香炉台２５の両側に花立て２６を一体に備え、香炉台２５部分の前面に深い矩形の凹所２７が穿設されている。この凹所２７の前面には、両開き扉２８が設けられている。凹所２７内には、ろうそく立てや線香立て２９を上面に設けた台板３１が引出可能に設置されている。花台２の背面には、箱石前面の凸部３４が嵌り込む形状の板状の凹部２２が形成されている。
【００２７】
凹部２２と凸部３４の配置は、上記と逆にしても良い。すなわち図７に示すように、箱石１の前面に、その前面開口１５の外側に上段差面２０と側段差面２１を有する凹部２２を形成し、花台２の背面に、箱石前面の凹部２２の内側に挿入される凸部３４を形成しても良い。この場合にも、凸部３４の上段差面３５に花台の背面と平行な流水溝３７を設け、側段差面３６に流水溝３７に連なる流下溝３８を形成する。
【００２８】
凸部３４の段差面に設ける流水溝３７や流下溝３８、及び土台石６に形成する周溝９の断面形状は、コの字形、Ｕ字形、Ｖ形など、どのような形状であってもよい。土台石の周溝９に連なる通孔１０及び通溝１８の位置及び個数は、特に限定されないが、四隅に設ける構造が加工の手数及び排水の円滑さの点で最も合理的である。通溝１８は、側面又は背面に向けて設ける。なお、砂利や土の上に設置する土台石には、通溝１８を設ける必要がない。
【００２９】
上記の構造において、箱石の内壁面４に沿って流下した結露水は、土台石の周溝９内に流れ込み、通孔１０を通って流下する。土台が砂利の上に設置されたときは、そのまま砂利の隙間へと流下し、コンクリートの基礎の上に設置されたときは、通溝１８を通って土台石の側部に流出する。周溝９から通孔１０への水の流れを円滑にするために、周溝９の底面には、通孔１０に向かう水勾配を設けておくのがよい。
【００３０】
風のある降雨時には、風上側の土台上面に降った雨水が土台石６と箱石１との隙間を通って納骨室の方へ流入してくる。しかし、この雨水は、周溝９に流下し、周畝８を越えることができないので、結露水と同様に通孔１０及び通溝１８を通って墓石の外へと排出される。
【００３１】
箱石１の前面と花台２の背面との間に侵入した雨水は、凸部３４の上段差面３５により流下が阻止され、流水溝３７を流れて流下溝３８に沿って土台石６上に流下する。この流下する位置は、土台石６に設けた角孔１７を囲んでいる周畝８の外側なので、流下した雨水は周溝９に流下し、納骨室１６に侵入することはない。
【図面の簡単な説明】
【００３２】
【図１】この考案の墓の箱石と花台と土台石部分の断面側面図
【図２】箱石と土台石を前方から見た斜視図
【図３】花台を背後から見た斜視図
【図４】土台石の斜視図
【図５】墓全体の斜視図
【図６】花台の部分拡大側面図
【図７】第２実施例の箱石と土台石を前方から見た斜視図
【符号の説明】
【００３３】
１  箱石
２  花台
４  竿石
６  土台石
７  角台
15  箱石の前面開口
16  納骨室
20  凹部の上段差面
21  凹部の側段差面
22  凹部
34  凸部
35  凸部の上段差面
36  凸部の側段差面
37  流水溝
【図１】
0003141025.tif 000003
【図２】
0003141025.tif 000004
【図３】
0003141025.tif 000005
【図４】
0003141025.tif 000006
【図５】
0003141025.tif 000007
【図６】
0003141025.tif 000008
【図７】
0003141025.tif 000009